(57)【要約】【課題】パチンコ等の遊技機の前扉の不正開放について視覚的な防犯効果を発揮しうる遊技機の不正開放防止装置を提供する。【解決手段】遊技機の不正開放防止装置1Aは、遊技機20の外側に配置されるものであり、ストッパ片３と固定手段７を備える。ストッパ片３は、前扉21の開放時に前扉21と干渉して前扉21の開放を阻止する、前扉21の前側近傍の阻止位置と、開放される前扉21と干渉しない許容位置とに変位可能なものである。固定手段７は、ストッパ片３を阻止位置に固定する固定状態と固定を解除した解除状態とに切り換え可能なものである。【選択図】図３
2008272000.tif 000002
【特許請求の範囲】
【請求項１】
遊技機の外側に配置され、遊技機の前扉の不正開放を防止する、遊技機の不正開放防止装置であって、
前扉の開放時に前扉と干渉して前扉の開放を阻止する、前扉の前側近傍の阻止位置と、開放される前扉と干渉しない許容位置とに変位可能なストッパ片と、
ストッパ片を阻止位置に固定する固定状態と固定を解除した解除状態とに切り換え可能な固定手段と、
を備えていることを特徴とする遊技機の不正開放防止装置。
【請求項２】
遊技機の前扉の前面には、前扉を閉塞状態にロックしたロック状態からロックを解除した解除状態に切り換えるロック解除操作部が設けられており、
ストッパ片の阻止位置は、閉塞状態の前扉のロック解除操作部を隠す位置に設定されている請求項１記載の遊技機の不正開放防止装置。
【請求項３】
ストッパ片を阻止位置から許容位置に向かって付勢する付勢手段と、
固定手段により阻止位置に固定された状態のストッパ片が阻止位置から許容位置に外部からの力で強制的に変位された場合に、固定手段によるストッパ片の阻止位置への再固定を防止する再固定防止手段と、
を備えている請求項１又は２記載の遊技機の不正開放防止装置。
【請求項４】
再固定防止手段は、ストッパ片が阻止位置から許容位置に外部からの力で強制的に変位された場合に、破損することにより、固定手段によるストッパ片の阻止位置への再固定を不能とする低強度部を有している請求項３記載の遊技機の不正開放防止装置。
【請求項５】
ストッパ片は、前後方向に異なる複数の位置を阻止位置として、該複数の阻止位置と許容位置とにわたって変位可能とされ、
固定手段は、ストッパ片を前記複数の阻止位置に固定可能である請求項１〜４のいずれかに記載の遊技機の不正開放防止装置。
【請求項６】
固定手段は、ストッパ片の固定解除を電気信号により制御可能に構成されている請求項１〜５のいずれかに記載の遊技機の不正開放防止装置。
【請求項７】
ストッパ片に取り付けられ、ストッパ片と前扉との当接による前扉の損傷を防止するためのカバー体を備えている請求項１〜６のいずれかに記載の遊技機の不正開放防止装置。
【請求項８】
カバー体は、少なくともその前面の意匠が前扉の前面の意匠に適合しているか、少なくともその前面に装飾が施されているか、又は、他の部材を保持する保持部を備えており、且つ、ストッパ片に取外し可能に取り付けられるものである請求項７記載の遊技機の不正開放防止装置。
【請求項９】
請求項１〜８のいずれかに記載の不正開放防止装置が付設されていることを特徴とする遊技機。
【発明の詳細な説明】
【技術分野】
【０００１】
本発明は、パチンコ、スロットマシン等の遊技機の前扉の不正開放を防止する、遊技機の不正開放防止装置に関する。
【背景技術】
【０００２】
パチンコ店などの遊技場に設置される遊技機には、一般に、遊技機の前扉を閉塞状態にロックする本ロック手段が設けられている。そして、この本ロック手段による前扉のロックを解除する場合は、特定の鍵を用いて本ロック手段のロック解除操作部に対してロック解除操作を行うことにより、ロックが解除されるように構成されている。
【０００３】
さらに、このような遊技機に対して、その前扉が不正の目的で開放をされるのを防止するため、例えば、次のような不正開放防止装置が知られている。
【０００４】
すなわち、リールに巻き取られた索条（例：ワイヤ）の一端を遊技機の前扉の裏面に取り付けるとともに、リールの回転をロック手段でロックすることにより、前扉を開放できなくように構成した装置が知られている（例えば特許文献１−４参照）。
【特許文献１】特開平１０−９４６５２号公報（請求項１）
【特許文献２】特開２００３−２９９８６１号公報（請求項１）
【特許文献３】特開２００４−１７３７６１号公報（請求項１）
【特許文献４】特開２００６−１１０１７３号公報（請求項１）
【発明の開示】
【発明が解決しようとする課題】
【０００５】
而して、上記従来の不正開放防止装置では、索条の一端が遊技機の前扉の裏面に取り付けられるとともに、リールは通常、遊技機の筐体の内部や後側に設置されているため、遊技機の前面側からでは、遊技機に不正開放防止装置が取り付けられているか否かについて視覚により認識することができなかった。そのため、前扉を不正に開放しようとする者に対して防犯効果が乏しかった。
【０００６】
本発明は、上述した技術背景に鑑みてなされたもので、その目的は、前扉の不正開放について視覚的な防犯効果を発揮しうる遊技機の不正開放防止装置を提供することにある。
【課題を解決するための手段】
【０００７】
本発明は以下の手段を提供する。
【０００８】
［１］  遊技機の外側に配置され、遊技機の前扉の不正開放を防止する、遊技機の不正開放防止装置であって、
前扉の開放時に前扉と干渉して前扉の開放を阻止する、前扉の前側近傍の阻止位置と、開放される前扉と干渉しない許容位置とに変位可能なストッパ片と、
ストッパ片を阻止位置に固定する固定状態と固定を解除した解除状態とに切り換え可能な固定手段と、
を備えていることを特徴とする遊技機の不正開放防止装置。
【０００９】
［２］  遊技機の前扉の前面には、前扉を閉塞状態にロックしたロック状態からロックを解除した解除状態に切り換えるロック解除操作部が設けられており、
ストッパ片の阻止位置は、閉塞状態の前扉のロック解除操作部を隠す位置に設定されている前項１記載の遊技機の不正開放防止装置。
【００１０】
［３］  ストッパ片を阻止位置から許容位置に向かって付勢する付勢手段と、
固定手段により阻止位置に固定された状態のストッパ片が阻止位置から許容位置に外部からの力で強制的に変位された場合に、固定手段によるストッパ片の阻止位置への再固定を防止する再固定防止手段と、
を備えている前項１又は２記載の遊技機の不正開放防止装置。
【００１１】
［４］  再固定防止手段は、ストッパ片が阻止位置から許容位置に外部からの力で強制的に変位された場合に、破損することにより、固定手段によるストッパ片の阻止位置への再固定を不能とする低強度部を有している前項３記載の遊技機の不正開放防止装置。
【００１２】
［５］  ストッパ片は、前後方向に異なる複数の位置を阻止位置として、該複数の阻止位置と許容位置とにわたって変位可能とされ、
固定手段は、ストッパ片を前記複数の阻止位置に固定可能である前項１〜４のいずれかに記載の遊技機の不正開放防止装置。
【００１３】
［６］  固定手段は、ストッパ片の固定解除を電気信号により制御可能に構成されている前項１〜５のいずれかに記載の遊技機の不正開放防止装置。
【００１４】
［７］  ストッパ片に取り付けられ、ストッパ片と前扉との当接による前扉の損傷を防止するためのカバー体を備えている前項１〜６のいずれかに記載の遊技機の不正開放防止装置。
【００１５】
［８］  カバー体は、少なくともその前面の意匠が前扉の前面の意匠に適合しているか、少なくともその前面に装飾が施されているか、又は、他の部材を保持する保持部を備えており、且つ、ストッパ片に取外し可能に取り付けられるものである前項７記載の遊技機の不正開放防止装置。
【００１６】
［９］  前項１〜８のいずれかに記載の不正開放防止装置が付設されていることを特徴とする遊技機。
【発明の効果】
【００１７】
本発明は以下の効果を奏する。
【００１８】
［１］の発明では、不正開放防止装置のストッパ片を前扉の前側近傍の阻止位置に配置させることにより、前扉を不正に開放しようとする者（以下「不正者」という。）に対して、前扉が開放できなくなっていることを視覚により認識させることができ、これにより、不正者に対して不正開放をあきらめさせようとする視覚的な防犯効果を発揮しうる。
【００１９】
さらに、このストッパ片は、阻止位置と許容位置とに変位可能であることから、ストッパ片を阻止位置から許容位置に変位させることにより、前扉の開放を許容することができる。
【００２０】
さらに、不正開放防止装置は、ストッパ片を阻止位置に固定する固定状態と固定を解除した解除状態とに切り換え可能な固定手段を備えているので、この固定手段によってストッパ片を阻止位置に固定することができるし、その解除も行うことができる。
【００２１】
もとより、この不正開放防止装置は、遊技機の外側に配置されるものである。したがって、遊技機の前扉の不正開放を防止するために、この不正開放防止装置を遊技機に直接取り付ける必要はなく、例えば、遊技機が設置される島における遊技機設置予定部の横側近傍部分（いわゆるマチ部）にこの装置を設置すれば良い。こうすることにより、遊技機を新しいものに交換する場合であっても、不正開放防止装置を交換することなく新しい遊技機にこの装置を適用させることができる。
【００２２】
［２］の発明では、ストッパ片の阻止位置は、閉塞状態の前扉のロック解除操作部を隠す位置に設定されている。したがって、ストッパ片を前扉の開放阻止位置に配置させて前扉の開放を阻止した状態では、ロック解除操作部はその前側近傍からストッパ片により隠されてロック解除操作部に対してロック解除操作が行えないものとなされている。そのため、ロック解除用の鍵やその複製物を不正に入手した不正者がロック解除操作部に対してロック解除操作を行うためには、まずストッパ片を阻止位置から許容位置に変位させることによりストッパ片をロック解除操作部に対するロック解除操作を行える位置に配置させ、その後で、ロック解除操作部に対してロック解除操作を行う必要がある。すなわち、不正者は、ストッパ片を阻止位置から許容位置に変位させる操作と、ロック解除操作部に対するロック解除操作とを順次行う必要があり、つまりこれらの操作を同時に行うことができない。その結果、前扉の開放に時間が掛かるようになり、もって不正者に対して強く不正開放をあきらめさせようとする防犯効果を奏しうる。
【００２３】
［３］の発明では、もし仮に不正者によってストッパ片が外部からの力で強制的に阻止位置から許容位置に変位された場合には、ストッパ片を阻止位置に再固定できなくなり、これによりストッパ片が付勢手段の付勢力によって阻止位置ではなく許容位置に配置されるものとなる。その結果、遊技店の管理者や店員等は前扉が不正に開放されたか否かについて視覚により容易に判別することができ、もって、前扉について不正開放があったことを迅速に認識することができる。
【００２４】
［４］の発明では、もし仮に不正者によってストッパ片が外部からの力で強制的に阻止位置から許容位置に変位された場合には、低強度部が破損するため、ストッパ片が阻止位置に再固定されることをより確実に防止することができる。
【００２５】
［５］の発明では、前扉の厚さや前扉の前面の凹凸形状等に応じてストッパ片の前後方向の位置を調節することができ、これにより、ストッパ片を前扉の厚さや前扉の前面の凹凸形状等に対応させて阻止位置に配置させることができる。したがって、この不正開放防止装置は、遊技機の前扉の厚さや前扉の前面の凹凸形状等が異なる様々な機種に対して適用することができ、すなわち様々な機種に対して前扉の不正開放を防止することができる。
【００２６】
［６］の発明では、固定手段は、ストッパ片の固定解除を電気信号により制御可能に構成されているから、例えば遠隔操作によりストッパ片の固定を解除することができる。
【００２７】
［７］の発明では、不正開放防止装置は、ストッパ片に取り付けられ、ストッパ片と前扉との当接による前扉の損傷を防止するためのカバー体を備えているので、ストッパ片と前扉との当接による前扉の損傷をカバー体により防止することができる。
【００２８】
［８］の発明では、カバー体は少なくともその前面の意匠が前扉の前面の意匠に適合している場合には、次の効果を奏する。すなわち、このようなカバー体をストッパ片に取り付けた場合には、ストッパ片の前面が前扉の前面側に露出することで前扉の前面の意匠が損なわれる不具合を防止することができ、もって前扉の前面の意匠を良好に維持することができる。さらに、このカバー体は、ストッパ片に取外し可能に取り付けられるものである。したがって、カバー体の意匠が前扉の前面の意匠に適合しない場合には、カバー体を前扉の前面の意匠に適合するものに交換することができ、これにより前扉の前面の意匠を良好に維持することができる。
【００２９】
また、［８］の発明では、カバー体は少なくともその前面に装飾が施されている場合には、次の効果を奏する。すなわち、このようなカバー体をストッパ片に取り付けた場合には、前扉の前面の意匠を向上させることができる。さらに、このカバー体は、ストッパ片に取外し可能に取り付けられるものである。したがって、カバー体の装飾が前扉の前面の意匠の向上に寄与しない場合には、カバー体を前扉の前面の意匠の向上に寄与するものに交換することができ、これにより前扉の前面の意匠を確実に向上させることができる。
【００３０】
また、［８］の発明では、カバー体は他の部材を保持する保持部を備えている場合には、次の効果を奏する。すなわち、このようなカバー体をストッパ片に取り付けた場合には、他の部材を保持する保持部をわざわざ遊技機に別途取り付けなくても、他の部材を保持部により保持することができる。さらに、このカバー体は、ストッパ片に取外し可能に取り付けられるものである。したがって、保持部が不要の場合には、カバー体をストッパ片から取り外すことができる。
【００３１】
［９］の発明では、上記［１］〜［８］のいずれかの発明と同様の効果を奏する遊技機を提供できる。
【発明を実施するための最良の形態】
【００３２】
次に、本発明の幾つかの実施形態について図面を参照して以下に説明する。
【００３３】
図１〜図７は、本発明の第１実施形態に係る遊技機の不正開放防止装置を説明するための図である。
【００３４】
図２において、（２０）は遊技機としてのパチンコ遊技機、（１Ａ）は本第１実施形態の不正開放防止装置である。
【００３５】
遊技機（２０）は、その前面に配置された前扉（２１）を備えている。この前扉（２１）は、その左側縁部が遊技機（２０）の箱型筐体に軸着されて、この左側縁部を中心に前方に開閉可能に遊技機（２０）の前面に備えられている。
【００３６】
この遊技機（２０）は、遊技店内に設置された島（２３）の遊技機設置予定部（２５）に複数台、横並び状にマチ部（２３ａ）を介して設置されている。すなわち、島（２３）における互いに隣り合う遊技機（２０）（２０）間にはマチ部（２３ａ）が配置されている。
【００３７】
また、島（２３）における各遊技機（２０）の上方近傍には、遊技者が店員を呼び出すための呼出しスイッチを備えた呼出しランプ器（２４）が設置されている。この呼出しランプ器（２４）は、「ナンバーランプ器」とも呼ばれており、呼出しスイッチ及び呼出しランプの他に、遊技機ナンバー、大当たり等の入賞時に点灯するランプ、入賞回数等のデータを表示するデータ表示部、後述する制御部（１１）などを備えている。
【００３８】
また、遊技機（２０）の内部における前扉（２１）の裏面（後面）側には、前扉（２１）を遊技機（２０）（詳述すると遊技機（２０）の筐体）に対して閉塞状態にロックするロック状態とロックを解除する解除状態とに切り換え可能な本ロック手段（２２）が設けられている。この本ロック手段（２２）のロック解除操作部（２２ａ）は、前扉（２１）の前面の右側縁部に設けられている。このロック解除操作部（２２ａ）は鍵穴を有しており、この鍵穴に特定の鍵を差し込んで回転させることにより、本ロック手段（２２）による前扉（２１）のロックが解除されて前扉（２１）が開放可能な状態となされ、すなわち前扉（２１）をロックしたロック状態からロックを解除した解除状態に切り換わる。
【００３９】
なお、図２において、（２１ａ）及び（２１ｂ）は、それぞれ前扉（２１）の前面に設けられた球受け部及び球打ち出しハンドルである。
【００４０】
本第１実施形態の不正開放防止装置（１Ａ）は、遊技機（２０）の前扉（２１）の不正開放を防止するためのものである。この不正開放防止装置（１Ａ）は、図２及び図３に示すように、遊技機（２０）の外側近傍に配置されており、詳述すると遊技機（２０）の横側（更に詳述すると右横側）に隣接して配置されたマチ部（２３ａ）に設置されており、これにより、不正開放防止装置（１Ａ）が遊技機（２０）に付設されている。なお、マチ部（２３ａ）には、この不正開放防止装置（１Ａ）の他に、球貸し装置（図示せず）等が設置されている。
【００４１】
この不正開放防止装置（１Ａ）の構成について以下に説明する。
【００４２】
不正開放防止装置（１Ａ）は、図１〜図４に示すように、その筐体としてのケース（２）、支持片（４）、保持スリーブ（５）、ストッパ片（３）、付勢手段（１０）、固定手段（７）などを備えている。
【００４３】
ケース（２）は、金属製であって、図２及び図３に示すように遊技機（２０）の横側（右横側）の前記マチ部（２３ａ）に、該ケース（２）の前面板（２ｂ）の前面がマチ部（２３ａ）の前面と略面一となる態様にして固定状態に設置されている。また、図３及び図４に示すように、このケース（２）は、その後上部が局部的に後方に突出した状態に形成されている。また、このケース（２）において、前面板（２ｂ）はケース（２）の本体（２ａ）にねじ（図示せず）により固定されている。また、左右各面板（２ｃ）（２ｃ）は、その下端部がケース（２）の本体（２ａ）にねじ（図示せず）により固定されるとともに、その上端部がケース（２）の上面板に設けられた係止孔（２ｉ）内に差し込まれて係止されている。また、ケース（２）における後方に局部的に突出した状態に形成された部位（２ｄ）は、ケース（２）の本体（２ａ）に溶接又はねじ（図示せず）により固定されている。
【００４４】
支持片（４）は、ストッパ片（３）を支持するものであり、剛性を有する金属製の真直な断面円形の棒状のものである。
【００４５】
保持スリーブ（５）は、支持片（４）をその軸心方向（即ち長さ方向）にスライド移動可能に且つその軸心を中心に回転可能に保持するものであり、剛性を有する金属製の真直な円筒状のものである。この保持スリーブ（５）の前後両端はそれぞれ開口している。そして、この保持スリーブ（５）は、ケース（２）内において遊技機（２０）の前後方向と平行に配置されるとともに、その前端部がケース（２）の前面板（２ｂ）に設けられた挿通孔（２ｇ）内に挿通されて前面板（２ｂ）に固定され、且つ、その後端部がケース（２）の中仕切り板（２ｆ）に設けられた挿通孔（２ｈ）内に挿通保持されている。これにより、保持スリーブ（５）は、その前端開口をケース（２）の前面板（２ｂ）の前面に露出させた状態で遊技機（２０）の前後方向と平行にケース（２）内に固定状態に配置されている。
【００４６】
なお、図１において、（２ｊ）は、保持スリーブ（５）の前端部をケース（２）の前面板（２ｂ）に固定するための固定板である。この固定板（２ｊ）は、該固定板（２ｊ）と前面板（２ｂ）との間に保持スリーブ（５）の前端部のフランジ部（５ｂ）を挟んだ状態で、ねじ（図示せず）により前面板（２ｂ）の裏面に固定されており、これにより、保持スリーブ（５）の前端部が前面板（２ｂ）に固定されている。
【００４７】
保持スリーブ（５）の周壁部には、その後端部から前端部に向かって延びた長孔からなる案内孔（６）が設けられている。さらに、この案内孔（６）の後部は、保持スリーブ（５）の前後方向（即ち遊技機（２０）の前後方向）と平行に真直に延びた真直部（６ａ）となされている。一方、この案内孔（６）の前部（詳述すると前端部）は、保持スリーブ（５）の周方向の一方側に案内孔（６）の真直部（６ａ）に対して略く字状に屈曲して延びた屈曲部（６ｂ）となされている。詳述すると、この案内孔（６）の真直部（６ａ）は、保持スリーブ（５）の周壁部の右側部に保持スリーブ（５）の前後方向と平行に真直に延びて設けられており、一方、この案内孔（６）の屈曲部（６ｂ）は、保持スリーブ（５）の周壁部の右側部から上部に向かって真直部（６ａ）に対して略く字状に屈曲して延びて設けられている。
【００４８】
そして、この保持スリーブ（５）内に支持片（４）がその軸心を中心に回転可能に且つ保持スリーブ（５）に対して前後方向にスライド移動可能に挿入されて保持されている。これにより、支持片（４）は前扉（２１）に対して前後方向に位置調節可能なものとなされている。
【００４９】
また、支持片（４）の周面の後部には、案内孔（６）に沿って案内される被案内凸部（４ａ）が固定状態に突設されている。この被案内凸部（４ａ）は、支持片（４）の周面の後部に固定状態に埋設されたねじの頭部からなり、案内孔（６）内において該案内孔（６）に沿ってスライド移動可能に配置されている。
【００５０】
そして、図３及び図４に示すように、被案内凸部（４ａ）が案内孔（６）の真直部（６ａ）の後端部に配置されているとき、支持片（４）はその前端部だけが保持スリーブ（５）の前端開口（即ち、ケース（２）の前面板（２ｂ）の前面位置）から前方に突出しており、その他の部分はケース（２）内（詳述すると保持スリーブ（５）内）に配置されている。この状態から、支持片（４）が保持スリーブ（５）内で前方にスライド移動すると、これに伴い被案内凸部（４ａ）が案内孔（６）の真直部（６ａ）の後端部から前方に移動する。このとき、被案内凸部（４ａ）が案内孔（６）の真直部（６ａ）を移動している間は、支持片（４）は回転しないで前方にスライド移動する。そして、被案内凸部（４ａ）が案内孔（６）の真直部（６ａ）から屈曲部（６ｂ）へと移動することに伴い、支持片（４）が前方にスライド移動しながら反時計回りに回転される。そして、図６及び図７に示すように、被案内凸部（４ａ）が案内孔（６）の屈曲部（６ｂ）の前端縁（６ｃ）に衝合したとき、支持片（４）の前方へのスライド移動が停止されるとともに、支持片（４）の回転が初期位置から反時計回りに９０°回転した状態で停止される。
【００５１】
また、図３及び図４に示すように、支持片（４）の後端面の中央部には、後述する付勢手段（１０）としてのコイルばね（１０ａ）を支持する真直な支軸（１０ｂ）が後方突出状にねじによって固着されている。さらに、この支軸（１０ｂ）は、ケース（２）の後面板（２ｅ）に設けられた挿通孔（２ｎ）内に、支軸（１０ｂ）の後部が挿通孔（２ｎ）からケース（２）の後方に突き出た状態にスライド移動可能に挿通されている。
【００５２】
ストッパ片（３）は、剛性を有する金属製の平板状のものであり、図３に示すように、支持片（４）の前端に支持片（４）に対してＬ字状をなして固定状態に設けられている。
【００５３】
このストッパ片（３）は、遊技機（２０）の閉塞状態の前扉（２１）の前側近傍を前扉（２１）の開放を阻止する阻止位置とするものであり、すなわち、該阻止位置にストッパ片（３）が配置されることにより前扉（２１）の開放時に前扉（２１）と干渉して前扉（２１）の開放を阻止するものである。本実施形態では、図２及び図３に示すように、このストッパ片（３）の阻止位置は、閉塞状態の前扉（２１）のロック解錠操作部（２２ａ）の前側近傍であって該ロック解除操作部（２２ａ）を隠す位置に設定されている。さらに、ストッパ片（３）は、その阻止位置において支持片（４）の前端から左方向に水平に延びた状態に配置されるものである。
【００５４】
さらに、図５及び図６に示すように、このストッパ片（３）は、上述した前扉（２１）の開放阻止位置と、開放される前扉（２１）と干渉しない、前扉（２１）の開放を許容する許容位置と、に変位可能なものである。詳述すると、このストッパ片（３）は、前扉（２１）の開放許容位置として、前扉（２１）の前側近傍ではなくマチ部（２３ａ）の前側であってマチ部（２３ａ）に対して前方に大きく離間した位置に、支持片（４）の前端から下方向に延びた状態に配置されるものである。
【００５５】
付勢手段（１０）は、ストッパ片（３）を阻止位置から許容位置に向かって支持片（４）を介して常時付勢するものであり、本実施形態では、付勢手段（１０）としてコイルばね（１０ａ）が用いられている。このコイルばね（１０ａ）は、ケース（２）の後面板（２ｅ）と支持片（４）との間において、コイルばね（１０ａ）の軸方向に圧縮された状態で支軸（１０ｂ）に捲回されて支持されている。そして、このコイルばね（１０ａ）は、その弾性復元力からなる付勢力によって支持片（４）を常時、前方に付勢しており、この付勢力によって支持片（４）が前方に移動することに伴いストッパ片（３）が阻止位置から許容位置に変位するものとなされている。
【００５６】
固定手段（７）は、ストッパ片（３）を前扉（２１）の開放阻止位置に固定する固定状態と固定を解除した解除状態とに切り換え可能なものであり、更に、ストッパ片（３）の固定解除を電気信号により制御可能に構成されたものである。
【００５７】
この固定手段（７）は、断面円形状の固定ピン（８）と、該固定ピン（８）を駆動させるソレノイド（７ａ）と、固定手段（７）による固定及び解除動作を制御する制御部（１１）とを備えている。制御部（１１）は上述したように呼出しランプ器（２４）内に設置されている（図２参照）。
【００５８】
図１及び図４に示すように、ソレノイド（７ａ）は、ケース（２）内における保持スリーブ（５）の下側で前側寄りの位置に、その伸縮杆（７ｂ）を上方に向けてケース（２）のソレノイド保持板（２ｍ）に固定状態に保持されている。ソレノイド（７ａ）の伸縮杆（７ｂ）の先端部（上端部）には、固定ピン（８）を交換可能に保持する保持部材（７ｃ）を介して固定ピン（８）が上方突出状に設けられている。さらに、この固定ピン（８）は固定ピン付勢用コイルばね（７ｄ）により、常時、上方に突出するように付勢されている。なお図４において（７ｅ）は、ソレノイド（７ａ）の給電線及び制御信号線である。
【００５９】
そして、この固定手段（７）は、ソレノイド（７ａ）に電気信号として電気の供給（即ち通電）を開始して該ソレノイド（７ａ）を駆動させることにより、ソレノイド（７ａ）の伸縮杆（７ｂ）が固定ピン付勢用コイルばね（７ｄ）の付勢力に抗して短縮し、これに伴い固定ピン（８）が下方向に移動し、一方、ソレノイド（７ａ）への通電を停止することにより、伸縮杆（７ｂ）が固定ピン付勢用コイルばね（７ｄ）の付勢力によって元の長さに伸長し、これに伴い固定ピン（８）が上方に移動するように構成されている。このようなソレノイド（７ａ）の動作の制御、すなわちソレノイド（７ａ）への通電開始とその停止についての制御は、後述するリモコンから出力された命令信号に基づいて制御部（１１）により行われる。
【００６０】
保持スリーブ（５）の周壁部の前部の下側部には、固定ピン（８）が差し込まれる差込み孔（５ｂ）が穿設されている。この差込み孔（５ｂ）の断面形状は、固定ピン（８）の断面形状に対応した形状、即ち円形状に形成されている。
【００６１】
一方、ストッパ片（３）が前扉（２１）の開放阻止位置に配置された状態における支持片（４）の周面の下面部には、支持片（４）の長さ方向（即ち前後方向）に対して直交する方向（即ち左右方向）に延びた、固定ピン（８）に対応する多数個の係合溝（９）が、支持片（４）の長さ方向に所定間隔をおいて設けられている。
【００６２】
そして、図４に示すように、ストッパ片（３）が前扉（２１）の開放阻止位置に配置された状態のもとで、固定ピン（８）の先端部は、固定ピン付勢用コイルばね（７ｄ）の付勢力によって、保持スリーブ（５）の差込み孔（５ｂ）を通って支持片（４）の多数個の係合溝（９）のうち１個の係合溝（９）内に挿入されることにより、支持片（４）が前方に移動不能に固定され、これによりストッパ片（３）が前方に移動不能に固定されている。さらに、この状態では、支持片（４）の被案内凸部（４ａ）が保持スリーブ（５）の案内孔（６）の真直部（６ａ）に配置されており、そのため、支持片（４）は保持スリーブ（５）内で回転不能に配置されており、これにより、ストッパ片（３）は回転不能に固定されている。したがって、ストッパ片（３）は、前方に移動できないし更に回転もできない状態で前扉（２１）の阻止位置に配置されることとなる。
【００６３】
また、上述したように、支持片（４）の周面の下面部に多数個の係合溝（９）が支持片（４）の長さ方向に所定間隔をおいて設けられていることから、ストッパ片（３）は、前後方向に異なる多数の位置を阻止位置として、該多数の阻止位置と許容位置とにわたって変位可能に構成されており、固定手段（７）はストッパ片（３）を多数の阻止位置に固定可能に構成されている。
【００６４】
さらに本実施形態では、固定ピン（８）の先端部の前面部（８ａ）は、先端に進むに従って後面部（８ｂ）に漸次接近するように傾斜した傾斜面に形成されるとともに、固定ピン（８）の先端部の後面部（８ｂ）は、固定ピン（８）の軸心方向と平行に形成されている。一方、支持片（４）の各係合溝（９）の内側の前面部（９ａ）は、固定ピン（８）の先端部の前面部（８ａ）に対応した傾斜面に形成されるとともに、各係合溝（９）の内側の後面部（９ｂ）は、支持片（４）の長さ方向に垂直に形成されている。したがって、固定ピン（８）の先端部が係合溝（９）内に挿入された状態において、支持片（４）が前方に移動しようとする場合には、固定ピン（８）の先端部が係合溝（９）（詳述すると係合溝（９）の内側の後面部（９ｂ））と係合し、これにより支持片（４）の前方への移動が阻止され、一方、支持片（４）が後方に移動しようとする場合には、固定ピン（８）の先端部は係合溝（９）とは係合せず、固定ピン（８）の先端部が係合溝（９）の内側の前面部（９ａ）で固定ピン付勢用コイルばね（７ｄ）の付勢力に抗して下方向に押されつつ固定ピン（８）の先端部の前面部（８ａ）が係合溝（９）の内側の前面部（９ａ）を後方に摺動案内し、支持片（４）の後方への移動を許容する。
【００６５】
また、固定手段（７）において、固定ピン（８）は強度的に弱い樹脂製のものである。そして、固定ピン（８）の先端部が支持片（４）の係合溝（９）内に挿入されることで阻止位置に固定された状態のストッパ片（３）が、阻止位置から許容位置に外部からの力で強制的に前方に変位された場合には、固定ピン（８）の先端部が係合溝（９）の内側の後面部（９ｂ）で前方に強く押圧されることで破損し、これにより、固定ピン（８）が係合溝（９）とは係合できなくなってストッパ片（３）の阻止位置への再固定が不能となり、その結果、支持片（４）がコイルばね（１０ａ）の付勢力によって前方に移動し、これに伴いストッパ片（３）が許容位置に配置されるものとなされている。このように本第１実施形態では、固定ピン（８）は、不正開放防止装置（１Ａ）における強度的に弱い低強度部（１２）であり、固定手段（７）によるストッパ片（３）の阻止位置への再固定を防止する再固定防止手段として機能している。
【００６６】
制御部（１１）は、上述したように呼出しランプ器（２４）内に設置されており、更に、制御部（１１）に無線信号（例えば赤外線信号や電波信号）からなる命令信号を遠隔送信するリモコン（図示せず）を具備している。また、呼出しランプ器（２４）の前面には、リモコンから出力された命令信号を受信する受信部（１１ａ）が配置されている。
【００６７】
次に、本第１実施形態の不正開放防止装置（１Ａ）の動作について以下に説明する。
【００６８】
図２〜図４において、遊技機（２０）は、前扉（２１）が本ロック手段（２２）によって閉塞状態にロックされている。この状態では、不正開放防止装置（１Ａ）の支持片（４）は、その前端部だけが保持スリーブ（５）の前端開口（即ち、ケース（２）の前面板（２ｂ）の前面位置及びマチ部（２３ａ）の前面位置）から前方に少し突出するとともに、その他の部分はケース（２）内（詳述すると保持スリーブ（５）内）に配置されている。また、支持片（４）の被案内凸部（４ａ）は、保持スリーブ（５）の案内孔（６）の真直部（６ａ）の後端部に配置されている。さらに、コイルばね（１０ａ）は、支持片（４）とケース（２）の後面板（２ｅ）との間で軸方向に圧縮されており、これによりコイルばね（１０ａ）に弾性復元力からなる付勢力が蓄積されている。
【００６９】
また、ストッパ片（３）は、前扉（２１）の開放阻止位置として、本ロック手段（２２）のロック解除操作部（２２ａ）の前側近傍に、支持片（４）の前端から左方向に水平に延びた状態に配置されている。これにより、前扉（２１）の開放がストッパ片（３）によって阻止されるとともに、更に、ロック解除操作部（２２ａ）はストッパ片（３）によってロック解錠操作部（２２ａ）に対して何人もロック解錠操作ができないように前側近傍から隠されている。
【００７０】
さらに、固定手段（７）における固定ピン（８）の先端部は、保持スリーブ（５）の差込み孔（５ｂ）を通って支持片（４）の多数個の係合溝（９）のうち１個の係合溝（９）内に挿入されており、これにより、支持片（４）が前方に移動不能に固定されている。さらに、上述したように被案内凸部（４ａ）が案内孔（６）の真直部（６ａ）の後端部に配置されており、これにより、支持片（４）が保持スリーブ（５）内で回転不能に固定されている。したがって、この支持片（４）の前端に固定状態に設けられたストッパ片（３）は、前扉（２１）の開放阻止位置において前方に移動不能に固定されるとともに、更に支持片（４）を中心として回転不能に固定されている。
【００７１】
この状態から、遊技機（２０）の前扉（２１）を開放するために不正開放防止装置（１Ａ）のストッパ片（３）を前扉（２１）の開放阻止位置から前扉（２１）の開放許容位置に変位させる方法について、以下に説明する。
【００７２】
まず、店員等がリモコンを使ってストッパ片（３）を前扉（２１）の開放許容位置に変位させる命令信号をリモコンから制御部（１１）に送信する。
【００７３】
リモコンから送信された信号は、受信部（１１ａ）で受信されて制御部（１１）に送信される。すると、制御部（１１）によりソレノイド（７ａ）への通電が開始されてソレノイド（７ａ）が駆動する。これにより、ソレノイド（７ａ）の伸縮杆（７ｂ）が固定ピン付勢用コイルばね（７ｄ）の付勢力に抗して短縮し、これに伴い固定ピン（８）が下方向に移動してその先端部が係合溝（９）から抜出される。これにより、ストッパ片（３）の固定が解除される。
【００７４】
すると、支持片（４）がコイルばね（１０ａ）の付勢力によって保持スリーブ（５）内で前方にスライド移動してケース（２）の前面板（２ｂ）の前方に突出し、これに伴い被案内凸部（４ａ）が案内孔（６）の真直部（６ａ）の後端部から前方に移動する。そして、被案内凸部（４ａ）が案内孔（６）の真直部（６ａ）から屈曲部（６ｂ）へと移動することに伴い、支持片（４）が前方にスライド移動しながらストッパ片（３）と共に反時計回りに回転される。そして、図６及び図７に示すように、被案内凸部（４ａ）が案内孔（６）の屈曲部（６ｂ）の前端縁（６ｃ）に衝合したとき、支持片（４）の前方へのスライド移動が停止されるとともに、支持片（４）の回転が初期位置から反時計回りに９０°回転した状態に停止され、その結果、ストッパ片（３）が、前扉（２１）の開放許容位置として、マチ部（２３ａ）の前側であってマチ部（２３ａ）に対して前方に大きく離間した位置に、支持片（４）の前端から下方向に延びた状態に配置されるとともに、本ロック手段（２２）のロック解除操作部（２２ａ）が露出される。
【００７５】
このようにストッパ片（３）を前扉（２１）の開放許容位置に配置させたのち、店員等がリモコンを使って固定ピン（８）を元の高さ位置に移動させる命令信号をリモコンから制御部（１１）に送信する。
【００７６】
なお本発明では、固定ピン（８）を元の高さ位置に移動させる命令信号を制御部（１１）に送信する方法は、リモコンを使って行うことに限定されるものではなく、その他に、例えば、ストッパ片（３）が前扉（２１）の開放許容位置に配置されたことをセンサにより検知して該センサから制御部（１１）にこのような信号を送信しても良いし、その他の方法であっても良い。
【００７７】
リモコンから送信された信号は、受信部（１１ａ）で受信されて制御部（１１）に送信される。すると、制御部（１１）によりソレノイド（７ａ）への通電が停止される。これにより、ソレノイド（７ａ）の伸縮杆（７ｂ）が固定ピン付勢用コイルばね（７ｄ）の付勢力によって元の長さに伸長し、これに伴い固定ピン（８）が上方に移動してその先端部が支持片（４）の後端部の周面に押圧される。このとき、図７に示すように、固定ピン（８）の先端部が押圧された支持片（４）の後端部の周面には係合溝（９）は設けられておらず、したがって固定ピン（８）の先端部は係合溝（９）とは係合していない。
【００７８】
この状態にしてから、本ロック手段（２２）のロック解除操作部（２２ａ）に対してロック解除操作を行うことにより、すなわちロック解除操作部（２２ａ）の鍵穴に特定の鍵を差し込んで回転させることにより、本ロック手段（２２）による前扉（２１）のロックを解除し、前扉（２１）を開放する。
【００７９】
次に、前扉（２１）が開放した状態から、遊技機（２０）の前扉（２１）の不正開放を防止するために不正開放防止装置（１Ａ）のストッパ片（３）を前扉（２１）の開放阻止位置に配置させる方法について、以下に説明する。
【００８０】
まず、遊技機（２０）の前扉（２１）を本ロック手段（２２）により閉塞状態にロックする。次いで、店員等が手で支持片（４）の前端を後方に押して手の力で支持片（４）をコイルばね（１０ａ）の付勢力に抗して後方へ移動させる。すると、被案内凸部（４ａ）が案内孔（６）の屈曲部（６ｂ）から真直部（６ａ）へと移動し、これに伴い、支持片（４）が後方にスライド移動しながらストッパ片（３）と共に時計回りに回転する。また、このように支持片（４）が後方に移動する途中で、支持片（４）の周面に押圧されていた固定ピン（８）の先端部が固定ピン付勢用コイルばね（７ｄ）の付勢力によって係合溝（９）内に挿入されるが、この場合において、上述したように固定ピン（８）の先端部は係合溝（９）とは係合せず、支持片（４）の後方への移動を許容する。また、支持片（４）の後方への移動に伴い、コイルばね（１０ａ）がその軸方向に圧縮されてコイルばね（１０ａ）に付勢力が蓄積される。
【００８１】
そして、図２〜図４に示すように、ストッパ片（３）が、前扉（２１）の開放阻止位置として、前扉（２１）における本ロック手段（２２）のロック解除操作部（２２ａ）の前側近傍に配置され、これによりロック解除操作部（２２ａ）がその前側近傍からストッパ片（３）で隠された状態となったとき、手で支持片（４）の前端を後方に押すのを止めて支持片（４）の後方への移動を停止する。すると、支持片（４）はコイルばね（１０ａ）の付勢力により前方に移動しようとするが、固定ピン（８）の先端部が係合溝（９）と係合することにより、支持片（４）の前方への移動が阻止される。その結果、ストッパ片（３）が前扉（２１）の開放阻止位置に固定される。
【００８２】
また、このように支持片（４）を後方に移動させる際において、支持片（４）の周面には多数個の係合溝（９）が支持片（４）の長さ方向に所定間隔をおいて設けられているので、前扉（２１）の厚さや前扉（２１）の前面の凹凸形状に応じて前扉（２１）に対するストッパ片（３）の前後方向の位置を調節した場合であっても、多数個の係合溝（９）のうちいずれか１個の係合溝（９）内に固定ピン（８）の先端部が挿入されて係合するものとなり、これによりストッパ（３）を前後方向の各位置に固定することができる。
【００８３】
また本第１実施形態の不正開放防止装置（１Ａ）では、図２〜図４に示した状態のもとで、もし仮に、不正者が本ロック手段（２２）のロック解除操作部（２２ａ）を露出させて該ロック解除操作部（２２ａ）に対して前扉（２１）のロック解除操作を行うために、ストッパ片（３）をバール等の所定の工具を使って強制的に前方に移動させた場合には、低強度部（１２）としての固定ピン（８）の先端部が係合溝（９）の内側の後面部（９ｂ）で前方に強く押圧されることで破損し、これにより、固定ピン（８）が係合溝（９）とは係合できなくなってストッパ片（３）の阻止位置への再固定が不能となる。その結果、支持片（４）がコイルばね（１０ａ）の付勢力によって前方に移動し、これに伴いストッパ片（３）が前扉（２１）の開放許容位置に常時配置されるものとなる。
【００８４】
而して、本第１実施形態の不正開放防止装置（１Ａ）には次の利点がある。
【００８５】
不正開放防止装置（１Ａ）のストッパ片（３）を、図２及び図３に示すように、閉塞状態の前扉（２１）の前側近傍の阻止位置に配置させることにより、不正者に対して前扉（２１）が開放できなくなっていることを視覚により認識させることができ、これにより、不正者に対して不正開放をあきらめさせようとする視覚的な防犯効果を発揮しうる。
【００８６】
さらに、このストッパ片（３）は、前扉（２１）の開放阻止位置と前扉（２１）の開放を許容する許容位置とに変位可能であることから、ストッパ片（３）を阻止位置から許容位置に変位させることにより、前扉（２１）の開放を許容することができる。
【００８７】
さらに、不正開放防止装置（１Ａ）は、ストッパ片（３）を阻止位置に固定する固定状態と固定を解除する解除状態とに切り換え可能な固定手段（７）を備えているので、この固定手段（７）によってストッパ片（３）を阻止位置に固定することができるし、その解除も行うことができる。
【００８８】
もとより、この不正開放防止装置（１Ａ）は、遊技機（２０）の外側近傍としてマチ部（２３ａ）に配置されるものである。そのため、遊技機（２０）を新しいものに交換する場合であっても、不正開放防止装置（１Ａ）を交換することなく新しい遊技機にこの装置（１Ａ）を適用させることができる。
【００８９】
さらに、ストッパ片（３）の阻止位置は、閉塞状態の前扉（２１）のロック解除操作部（２２ａ）を隠す位置に設定されている。したがって、ストッパ片（３）を前扉（２１）の開放阻止位置に配置させて前扉（２１）の開放を阻止した状態では、ロック解除操作部（２２ａ）はその前側近傍からストッパ片（３）により隠されてロック解除操作部（２２ａ）に対してロック解除操作が行えないものとなされている。そのため、ロック解除用の鍵やその複製物を不正に入手した不正者がロック解除操作部（２２ａ）に対してロック解除操作を行うためには、まずストッパ片（３）を阻止位置から許容位置に変位させることによりストッパ片（３）をロック解除操作部（２２ａ）に対するロック解除操作を行える位置に配置させて、これによりロック解除操作部（２２ａ）を前扉（２１）の前面側に露出させ、その後で、ロック解除操作部（２２ａ）に対してロック解除操作を行う必要がある。すなわち、不正者は、ストッパ片（３）を阻止位置から許容位置に変位させる操作と、ロック解除操作部（２２ａ）に対するロック解除操作とを順次行う必要があり、つまりこれらの操作を同時に行うことができない。その結果、前扉（２１）の開放に時間が掛かるようになり、もって、不正者に対して強く不正開放をあきらめさせようとする防犯効果を奏しうる。
【００９０】
さらに、不正開放防止装置（１Ａ）は、再固定防止手段を備えていることから、もし仮に不正者によってストッパ片（３）が強制的に阻止位置から許容位置に変位された場合には、ストッパ片（３）を阻止位置に再固定できなくなり、これによりストッパ片（３）がコイルばね（１０ａ）の付勢力によって阻止位置ではなく許容位置に配置されるものとなる。その結果、遊技店の管理者や店員等は前扉（２１）が不正に開放されたか否かについて視覚により容易に判別することができ、もって、前扉（２１）について不正開放があったことを迅速に認識することができる。
【００９１】
さらに、再固定防止手段は、低強度部（１２）として固定ピン（８）を有しているので、もし仮に不正者によってストッパ片（３）が強制的に阻止位置から許容位置に変位された場合には、低強度部（１２）としての固定ピン（７）の先端部が破損するため、ストッパ片（３）が阻止位置に再固定されることをより確実に防止することができる。
【００９２】
さらに、ストッパ片（３）は、前後方向に異なる多数の位置を阻止位置として、該多数の阻止位置と許容位置とにわたって変位可能とされており、固定手段（７）はストッパ片（３）を多数の阻止位置に固定可能である。したがって、この不正開放防止装置（１Ａ）は、遊技機（２０）の前扉（２１）の厚さや前扉（２１）の前面の凹凸形状等が異なる様々な機種に対して適用することができ、すなわち様々な機種に対して前扉（２１）の不正開放を防止することができる。
【００９３】
さらに、固定手段（７）は、ストッパ片（３）の固定解除を電気信号により制御可能に構成されているから、遠隔操作によりストッパ片（３）の固定を解除することができる。
【００９４】
図８〜図１３は、本発明の第２実施形態に係る遊技機の不正開放防止装置（１Ｂ）を説明するための図である。
【００９５】
これらの図には、上記第１実施形態の不正開放防止装置（１Ａ）の構成要素と同一の要素に同一の符号が付されており、以下では本第２実施形態の不正開放防止装置（１Ｂ）の構成について上記第１実施形態の不正開放防止装置（１Ａ）とは異なる点を中心に説明する。
【００９６】
本第２実施形態の不正開放防止装置（１Ｂ）では、図８〜図１１に示すように、固定手段（７）は、真直な棒状の駆動軸（１５）と、該駆動軸（１５）を回転駆動させるステッピングモータ等からなるスピンドルモータ（１４）と、駆動軸（１５）の先端部（前端部）に固着されたウォームねじ（１３）と、を備えている。
【００９７】
モータ（１４）は、正逆両方向に回転可能な電動のものであり、ケース（２）内においてケース（２）の後面板（２ｅ）に固定状態に取り付けられている。
【００９８】
駆動軸（１５）は、モータ（１４）にトルクカップリング（１５ａ）を介して連結されている。このトルクカップリング（１５ａ）は、本第２実施形態の不正開放防止装置（１Ｂ）における強度的に弱い低強度部（１２）である。すなわち、このトルクカップリング（１５ａ）は、駆動軸（１５）に所定の負荷値よりも大きな前方向の負荷が加わると、トルクカップリング（１５ａ）が破損し、これにより駆動軸（１５）がトルクカップリング（１５ａ）から分離されるものとなされており、更に、駆動軸（１５）に所定の負荷値よりも大きな回転方向の負荷が加わると、トルクカップリング（１５ａ）が破損し、これにより駆動軸（１５）がトルクカップリング（１５ａ）から分離されるものとなされている。このように本第２実施形態では、トルクカップリング（１５ａ）は、不正開放防止装置（１Ｂ）における強度的に弱い低強度部（１２）であり、固定手段（７）によるストッパ片（３）の阻止位置への再固定を防止する再固定防止手段として機能している。
【００９９】
支持片（４）の内部には、ウォームねじ（１３）と噛合するねじ孔（４ｂ）が支持片（４）の長さ方向（即ち前後方向）に延びて設けられるとともに、該ねじ孔（４ｂ）の一端開口が支持片（４）の後端面の中央部に形成されている。そして、このねじ孔（４ｂ）内にウォームねじ（１３）が噛合状態に配置されている。したがって、ウォームねじ（１３）が回転してない状態では、支持片（４）は前後方向に移動不能に固定されており、ウォームねじ（１３）が駆動軸（１５）を中心に回転することにより、支持片（４）の固定が解除されて支持片（４）が前後方向に移動されるものとなる。
【０１００】
また、上述したように、支持片（４）の内部にねじ孔（４ｂ）が支持片（４）の長さ方向に延びて設けられていることから、ストッパ片（３）は、前後方向に異なる多数の位置を阻止位置として、該多数の阻止位置と許容位置とにわたって変位可能に構成されており、固定手段（７）はストッパ片（３）を多数の阻止位置に固定可能に構成されている。
【０１０１】
また、図１１に示すように、駆動軸（１５）には、付勢手段（１０）としてのコイルばね（１０ａ）が、ウォームねじ（１３）とトルクカップリング（１５ａ）との間において、コイルばね（１０ａ）の軸方向に圧縮された状態で捲回されて支持されている。そして、このコイルばね（１０ａ）は、その弾性復元力からなる付勢力によってウォームねじ（１３）を常時、前方に付勢している。そして、トルクカップリング（１５ａ）が破損して駆動軸（１５）がトルクカップリング（１５ａ）から分離した場合には、このコイルばね（１０ａ）の付勢力によって支持片（４）が前方に移動し、これに伴いストッパ片（３）が阻止位置から許容位置に変位するものとなされている。
【０１０２】
また、モータ（１４）の回転開始、回転停止、回転方向、回転速度等の制御は、制御部（１１）により行われる。
【０１０３】
次に、本第２実施形態の不正開放防止装置（１Ｂ）の動作について以下に説明する。
【０１０４】
図９において、遊技機（２０）は、前扉（２１）が本ロック手段（２２）によって閉塞状態にロックされている、この状態では、不正開放防止装置（１Ｂ）の支持片（４）は、その前端部だけが保持スリーブ（５）の前端開口（即ち、ケース（２）の前面板（２ｂ）の前面位置及びマチ部（２３ａ）の前面位置）から前方に少し突出するとともに、その他の部分はケース（２）内（詳述すると保持スリーブ（５）内）に配置されている。また、図１０及び図１１に示すように、支持片（４）の被案内凸部（４ａ）は、保持スリーブ（５）の案内孔（６）の真直部（６ａ）の後端部に配置されている。さらに、コイルばね（１０ａ）は、ウォームねじ（１３）とトルクカップリング（１５ａ）との間で軸方向に圧縮されており、これによりコイルばね（１０ａ）に弾性復元力からなる付勢力が蓄積されている。
【０１０５】
また、ストッパ片（３）は、上記第１実施形態と同様に、前扉（２１）の開放阻止位置として、本ロック手段（２２）のロック解除操作部（２２ａ）の前側近傍に配置されている。これにより、前扉（２１）の開放がストッパ片（３）によって阻止されるとともに、更に、ロック解除操作部（２２ａ）はストッパ片（３）によってロック解錠操作部（２２ａ）に対してロック解錠操作ができないように前側近傍から隠されている。
【０１０６】
さらに、固定手段（７）におけるウォームねじ（１３）は支持片（４）のねじ孔（４ｂ）と噛合しており、これにより、支持片（４）が前後方向に移動不能に固定されている。さらに、被案内凸部（４ａ）が案内孔（６）の真直部（６ａ）の後端部に配置されており、これにより、支持片（４）が保持スリーブ（５）内で回転不能に固定されている。したがって、この支持片（４）の前端に固定状態に設けられたストッパ片（３）は、前扉（２１）の開放阻止位置において前後方向に移動不能に固定されるとともに、更に支持片（４）を中心として回転不能に固定されている。
【０１０７】
この状態から、遊技機（２０）の前扉（２１）を開放するために不正開放防止装置（１Ｂ）のストッパ片（３）を前扉（２１）の開放阻止位置から前扉（２１）の開放許容位置に変位させる方法について、以下に説明する。
【０１０８】
まず、店員等がリモコンを使ってストッパ片（３）を前扉（２１）の開放許容位置に変位させる命令信号をリモコンから制御部（１１）に送信する。
【０１０９】
リモコンから送信された信号は、受信部（１１ａ）で受信されて制御部（１１）に送信される。すると、制御部（１１）によりモータ（１４）を所定方向に回転させる信号が発せられてモータ（１４）が所定方向に回転を開始する。これにより、ウォームねじ（１３）が駆動軸（１５）を介して駆動軸（１５）を中心に所定方向に回転する。なお、このときのモータ（１４）及びウォームねじ（１３）の回転方向を説明の便宜上「正方向」という。
【０１１０】
ウォームねじ（１３）の正方向の回転に伴い、支持片（４）が保持スリーブ（５）内で前方にスライド移動し、これに伴い被案内凸部（４ａ）が案内孔（６）の真直部（６ａ）の後端部から前方に移動する。そして、被案内凸部（４ａ）が案内孔（６）の真直部（６ａ）から屈曲部（６ｂ）へと移動することに伴い、支持片（４）が前方にスライド移動しながらストッパ片（３）と共に反時計回りに回転される。そして、図１２及び図１３に示すように、支持片（４）及びストッパ片（３）が初期位置から反時計回りに９０°回転したとき、店員等がリモコンを使ってストッパ片（３）の位置を固定する命令信号をリモコンから制御部（１１）に送信する。
【０１１１】
リモコンから送信された信号は、受信部（１１ａ）で受信されて制御部（１１）に送信される。すると、制御部（１１）によりモータ（１４）の正方向の回転を停止させる信号が発せられてモータ（１４）の回転が停止する。この状態では、ストッパ片（３）は、上記第１実施形態と同様に、前扉（２１）の開放許容位置として、マチ部（２３ａ）の前側であってマチ部（２３ａ）に対して前方に大きく離間した位置に、支持片（４）の前端から下方向に延びた状態に配置されるとともに、本ロック手段（２２）のロック解除操作部（２２ａ）が露出される。
【０１１２】
なお本発明では、モータ（１４）の正方向回転の停止の制御は、モータ（１４）の回転開始からの回転回数が予め設定された回転回数に到達したときに、モータ（１４）の回転が停止するように制御部（１１）により行われるものとなされていても良いし、その他の方法で行われるものとなされていても良い。
【０１１３】
このようにストッパ片（３）を前扉（２１）の開放許容位置に配置させた状態にしてから、上記第１実施形態と同様に、本ロック手段（２２）のロック解除操作部（２２ａ）に対してロック解除操作を行い、本ロック手段（２２）による前扉（２１）のロックを解除し、前扉（２１）を開放する。
【０１１４】
次に、前扉（２１）が開放した状態から、遊技機（２０）の前扉（２１）の不正開放を防止するために不正開放防止装置（１Ｂ）のストッパ片（３）を前扉（２１）の開放阻止位置に配置させる方法について、以下に説明する。
【０１１５】
まず、遊技機（２０）の前扉（２１）を本ロック手段（２２）により閉塞状態にロックする。次いで、店員等がリモコンを使ってストッパ片（３）を前扉（２１）の開放阻止位置に変位させる命令信号をリモコンから制御部（１１）に送信する。
【０１１６】
リモコンから送信された信号は、受信部（１１ａ）で受信されて制御部（１１）に送信される。すると、制御部（１１）によりモータ（１４）を逆方向に回転させる信号が発せられてモータ（１４）が逆方向に回転を開始する。これにより、ウォームねじ（１３）が駆動軸（１５）を介して逆方向に回転する。
【０１１７】
ウォームねじ（１３）の逆方向の回転に伴い、支持片（４）が保持ケース内（５）で後方にスライド移動し、これに伴い被案内凸部（４ａ）が案内孔（６）の屈曲部（６ｂ）から真直部（６ａ）へと移動する。さらに、これに伴い支持片（４）が後方にスライド移動しながらストッパ片（３）と共に時計回りに回転する。
【０１１８】
そして、図９〜図１１に示すように、ストッパ片（３）が、前扉（２１）の開放阻止位置として、前扉（２１）のロック解除操作部（２２ａ）の前側近傍に配置されたとき、店員等がリモコンを使ってストッパ片（３）の位置を固定する命令信号をリモコンから制御部（１１）に送信する。
【０１１９】
リモコンから送信された信号は、受信部（１１ａ）で受信されて制御部（１１）に送信される。すると、制御部（１１）によりモータ（１４）の逆方向の回転を停止させる信号が発せられてモータ（１４）の回転が停止する。これにより、ストッパ片（３）が前扉（２１）の開放阻止位置に固定される。
【０１２０】
なお本発明では、モータ（１４）の逆方向回転の停止の制御は、モータ（１４）の回転開始からの回転回数が予め設定された回転回数に到達したときに、モータ（１４）の回転が停止するように制御部（１１）により行われるものとなされていても良いし、その他の方法で行われるものとなされていても良い。
【０１２１】
また本第２実施形態の不正開放防止装置（１Ｂ）では、図９〜図１１に示した状態のもとで、もし仮に、不正者がロック解除操作部（２２ａ）を露出させて該ロック解除操作部（２２ａ）に対して前扉（２１）のロック解除操作を行うために、ストッパ片（３）をバール等の所定の工具を使って強制的に前方に移動させた場合には、駆動軸（１５）に所定の負荷値よりも大きな前方向の負荷が加わり、これによりトルクカップリング（１５ａ）が破損する。これにより、駆動軸（１５）がトルクカップリング（１５ａ）から分離される。その結果、ストッパ片（３）の阻止位置への再固定が不能となるとともに、支持片（４）がコイルばね（１０ａ）の付勢力によって前方へ移動し、これに伴いストッパ片（３）が前扉（２１）の開放許容位置に常時配置されるようになる。
【０１２２】
さらに、不正者が前扉（２１）の不正開放を行う際に、駆動軸（１５）に所定の負荷値よりも大きな回転方向の負荷が加わった場合には、やはりトルクカップリング（１５ａ）が破損し、これにより駆動軸（１５）がトルクカップリング（１５ａ）から分離される。その結果、ストッパ片（３）の阻止位置への再固定が不能となるとともに、支持片（４）がコイルばね（１０ａ）の付勢力によって前方へ移動し、これに伴いストッパ片（３）が前扉（２１）の開放許容位置に常時配置されるようになる。
【０１２３】
而して、本第２実施形態の不正開放防止装置（１Ｂ）には上記第１実施形態の装置（１Ａ）と同様の利点がある。
【０１２４】
図１５〜図２０は、上記第１実施形態の不正開放防止装置（１Ａ）のストッパ片（３）に取り付けられる幾つかのカバー体を説明する図である。
【０１２５】
図１５及び図１６に示したカバー体（１６Ａ）は、その前面（１７）に、遊技機（２０）の前扉（２１）の前面の意匠に適合した意匠として、魚を模した意匠が施されている。
【０１２６】
さらに、このカバー体（１６Ａ）は、少なくとも前扉（２１）と当接する部位がクッション性のある材料（ゴム、スポンジ等）から形成されたものであり、これによりストッパ片（３）と前扉（２１）との当接による前扉（２１）の損傷を防止できるものとなされている。本実施形態では、カバー体（１６Ａ）は、前扉（２１）と当接する部位としての後面（裏面）側の部位がゴム製であり、前面（１７）側の部位も同じくゴム製であって、両部位が一体に形成されたものである。
【０１２７】
なお本発明では、カバー体（１６Ａ）は、両部位が同種の材料から形成されたものであることに限定されるものではなく、異種の材料から形成されたものであっても良く、すなわち、例えば前面（１７）側の部位がプラスチック製であって、該前面（１７）側の部位がゴム製の後面側の部位に接着剤等により固着されて一体化されていても良い。
【０１２８】
さらに、このカバー体（１６Ａ）は、ストッパ片（３）に取外し可能に取り付けられている。すなわち、図１６に示すように、カバー体（１６Ａ）の後面（裏面）には、ストッパ片（３）が挿入されるポケット状の挿入穴（１８）が設けられている。この挿入穴（１８）の内部には複数の抜出防止用係合突部（図示せず）が設けられている。一方、図１７に示すように、ストッパ片（３）には、係合突部と係脱可能に係合する複数の係合凹部（３ａ）が形成されている。そして、挿入穴（１８）内にストッパ片（３）が挿入され且つ係合突部が係合凹部（３ａ）（３ａ）と係合することにより、カバー体（１６Ａ）がストッパ片（３）に固定状態に取り付けられている。一方、この取付け状態からカバー体（１６Ａ）を取り外す際には、専用の取外し治具（図示せず）を使用して係合突部と係合凹部（３ａ）（３ａ）との係合を解除することにより、カバー体（１６Ａ）をストッパ片（３）から取り外すことができるようにカバー体（１６Ａ）が構成されている。
【０１２９】
而して、このカバー体（１６Ａ）をストッパ片（３）に取り付けることにより、ストッパ片（３）と前扉（２１）との当接による前扉（２１）の損傷をカバー体（１６Ａ）により防止することができる。
【０１３０】
さらに、このカバー体（１６Ａ）は、その前面（１７）の意匠が前扉（２１）の前面の意匠に適合しているので、このカバー体（１６Ａ）をストッパ片（３）に取り付けた場合には、カバー体（１６Ａ）の前面（１７）が前扉（２１）の前面側に露出することで前扉（２１）の前面の意匠が損なわれる不具合を防止することができ、もって前扉（２１）の前面の意匠を良好に維持することができる。さらに、このカバー体（１６Ａ）は、ストッパ片（３）に取外し可能に取り付けられるものであるから、カバー体（１６Ａ）の意匠が前扉（２１）の前面の意匠に適合しない場合には、カバー体（１６Ａ）を前扉（２１）の前面の意匠に適合するものに交換することができ、これにより前扉（２１）の前面の意匠を良好に維持することができる。
【０１３１】
図１８に示したカバー体（１６Ｂ）は、その前面（１７）に、ＬＥＤ、拡散レンズ等を具備した電飾板（１９ａ）が装着されており、これによりカバー体（１６Ｂ）の前面（１７）に装飾が施されている。この電飾板（１９ａ）は、呼出しランプ器（２４）等からの信号を受けて遊技機（２０）の状態（入賞状態等）に応じて発光し、これにより遊技機（２０）の状態に応じた演出を行うことができるものとなされている。このカバー体（１６Ｂ）のその他の構成は、上記カバー体（１６Ａ）と同じである。
【０１３２】
而して、このカバー体（１６Ｂ）をストッパ片（３）に取り付けることにより、ストッパ片（３）と前扉（２１）との当接による前扉（２１）の損傷をカバー体（１６Ｂ）により防止することができることはもとより、更に、前扉（２１）の前面の意匠を向上させることができるし、雰囲気をもり上げることができる。
【０１３３】
さらに、このカバー体（１６Ｂ）は、ストッパ片（３）に取外し可能に取り付けられるものである。したがって、カバー体（１６Ｂ）の装飾が前扉（２１）の前面の意匠の向上に寄与しない場合には、カバー体（１６Ｂ）を前扉（２１）の前面の意匠の向上に寄与するものに交換することができ、これにより前扉（２１）の前面の意匠を確実に向上させることができる。
【０１３４】
図１９に示したカバー体（１６Ｃ）は、その前面（１７）に、他の部材を保持する保持部として、飲料用容器（紙コップ、飲料入り缶等）を保持する飲料用容器保持部材（１９ｂ）が固着されている。このカバー体（１６Ｃ）のその他の構成は、上記カバー体（１６Ａ）と同じである。
【０１３５】
而して、このカバー体（１６Ｃ）をストッパ片（３）に取り付けることにより、ストッパ片（３）と前扉（２１）との当接による前扉（２１）の損傷をカバー体（１６Ｃ）により防止することができることはもとより、更に、飲料用容器保持部材（１９ｂ）をわざわざ遊技機（２０）に別途取り付けなくても、飲料用容器を保持することができる。さらに、このカバー体（１６Ｃ）は、ストッパ片（３）に取外し可能に取り付けられるものである。したがって、保持部材（１９ｂ）が不要の場合には、カバー体（１６Ｃ）をストッパ片（３）から取り外すことができる。
【０１３６】
図２０に示したカバー体（１６Ｄ）は、その前面（１７）に、他の部材を保持する保持部として、小旗（札を含む）を立てた状態等に保持する保持孔を有する２個の旗保持部（１９ｃ）（１９ｃ）が固着されている。この旗保持部（１９ｃ）には、「大当たり」の小旗をはじめ、「爆発中」等の演出用の札が保持される。なお本発明では、旗保持部（１９ｃ）は、保持孔の代わりに、小旗を挟持するクリップ部を有していても良い。このカバー体（１６Ｄ）のその他の構成は、上記カバー体（１６Ａ）と同じである。
【０１３７】
また本発明では、図示していないが、カバー体は、他の部材を保持する保持部として、灰皿を保持する灰皿保持部を備えていても良いし、その他の保持部を備えていても良い。
【０１３８】
また本発明では、カバー体（１６Ａ〜Ｄ）は、上記第２実施形態の不正開放防止装置（１Ｂ）のストッパ片（３）に取り付けられるものであっても良い。
【０１３９】
以上で、本発明の幾つかの実施形態について説明したが、本発明は上記実施形態に示したものであることに限定されるものではなく、様々に変更可能である。
【０１４０】
例えば、上記第１実施形態では、強度的に弱い低強度部（１２）は固定ピン（８）であるが、本発明では、その他に、例えば、ソレノイド（７ａ）を固定状態に保持しているソレノイド保持板（２ｍ）が低強度部（１２）に対応していても良いし、その他の部位が低強度部（１２）に対応していても良い。また、上記第２実施形態では、低強度部（１２）はトルクカップリング（１５ａ）であるが、本発明では、その他に、例えば、ウォームねじ（１３）のねじ山が低強度部（１２）に対応していても良いし、ウォームねじ（１３）と駆動軸（１５）との連結部が低強度部（１２）に対応していても良いし、その他の部位が低強度部（１２）に対応していても良い。
【０１４１】
また、本発明では、再固定防止手段は、破損することで固定手段（７）によるストッパ片（３）の阻止位置への再固定を不能とする低強度部（１２）であることに限定されるものでない。例えば、不正な力によって変形又は変位するが、部品の交換を必要とせず、再固定可能な状態に復帰できるように構成しても良い。
【０１４２】
また  本発明では、付勢手段（１０）はコイルばね（１０ａ）であることに限定されるものではなく、例えばコイルばね以外のばね（エアスプリング等）であっても良い。
【０１４３】
また、上記実施形態では、不正開放防止装置はパチンコ遊技機に適用されるものであるが、本発明では、その他に、スロットマシン（パチスロを含む。）に適用されるものであっても良いし、その他の遊技機に適用されるものであっても良い。
【産業上の利用可能性】
【０１４４】
本発明は、パチンコ、スロットマシン等の遊技機の前扉の不正開放を防止する、遊技機の不正開放防止装置に利用可能である。
【図面の簡単な説明】
【０１４５】
【図１】図１は、本発明の第１実施形態に係る遊技機の不正開放防止装置の分解斜視図である。
【図２】図２は、同不正開放防止装置により遊技機の前扉の開放を阻止した状態の正面図である。
【図３】図３は、同不正開放防止装置のストッパ片を前扉の開放阻止位置に配置した状態の斜視図である。
【図４】図４は、同不正開放防止装置のストッパ片を前扉の開放阻止位置に配置した状態の断面図である。
【図５】図５は、同不正開放防止装置により遊技機の前扉の開放を許容した状態の正面図である。
【図６】図６は、同不正開放防止装置のストッパ片を前扉の開放許容位置に配置した状態の斜視図である。
【図７】図７は、同不正開放防止装置のストッパ片を前扉の開放許容位置に配置した状態の断面図である。
【図８】図８は、本発明の第２実施形態に係る遊技機の不正開放防止装置の分解斜視図である。
【図９】図９は、同不正開放防止装置のストッパ片を前扉の開放阻止位置に配置した状態の斜視図である。
【図１０】図１０は、同不正開放防止装置のストッパ片を前扉の開放阻止位置に配置した状態におけるケース内の構造を示す断面図である。
【図１１】図１１は、同不正開放防止装置のストッパ片を前扉の開放阻止位置に配置した状態の断面図である。
【図１２】図１２は、同不正開放防止装置のストッパ片を前扉の開放許容位置に配置した状態の斜視図である。
【図１３】図１３は、同不正開放防止装置のストッパ片を前扉の開放許容位置に配置した状態おけるケース内の構造を示す断面図である。
【図１４】図１４は、同不正開放防止装置のストッパ片を前扉の開放許容位置に配置した状態の断面図である。
【図１５】図１５は、上記第１実施形態の不正開放防止装置のストッパ片に取り付けられたカバー体を前面側から見た斜視図である。
【図１６】図１６は、同カバー体を後面側から見た斜視図である。
【図１７】図１７は、上記第１実施形態の不正開放防止装置における同カバー体が取り付けられるストッパ片の斜視図である。
【図１８】図１８は、上記第１実施形態の不正開放防止装置のストッパ片に取り付けられたカバー体の一変形例を前面側から見た斜視図である。
【図１９】図１９は、上記第１実施形態の不正開放防止装置のストッパ片に取り付けられたカバー体のもう一つの変形例を前面側から見た斜視図である。
【図２０】図２０は、上記第１実施形態の不正開放防止装置のストッパ片に取り付けられたカバー体の更にもう一つの変形例を前面側から見た斜視図である。
【符号の説明】
【０１４６】
１Ａ、１Ｂ…不正開放防止装置
２…ケース
３…ストッパ片
４…支持片
４ａ…被案内凸部
４ｂ…ねじ孔
５…保持スリーブ
６…案内孔
６ａ…真直部
６ｂ…屈曲部
７…固定手段
７ａ…ソレノイド
８…固定ピン
９…係合溝
１０…付勢手段
１０ａ…コイルばね
１１…制御部
１２…低強度部
１３…ウォームねじ
１４…スピンドルモータ
１５…駆動軸
１５ａ…トルクカップリング
１６Ａ、１６Ｂ、１６Ｃ、１６Ｄ…カバー体
２０…遊技機
２１…前扉
２２…本ロック手段
２２ａ…ロック解除操作部
２３…島
２３ａ…マチ部
２４…呼出しランプ器
【図１】
2008272000.tif 000003
【図２】
2008272000.tif 000004
【図３】
2008272000.tif 000005
【図４】
2008272000.tif 000006
【図５】
2008272000.tif 000007
【図６】
2008272000.tif 000008
【図７】
2008272000.tif 000009
【図８】
2008272000.tif 000010
【図９】
2008272000.tif 000011
【図１０】
2008272000.tif 000012
【図１１】
2008272000.tif 000013
【図１２】
2008272000.tif 000014
【図１３】
2008272000.tif 000015
【図１４】
2008272000.tif 000016
【図１５】
2008272000.tif 000017
【図１６】
2008272000.tif 000018
【図１７】
2008272000.tif 000019
【図１８】
2008272000.tif 000020
【図１９】
2008272000.tif 000021
【図２０】
2008272000.tif 000022